(57)【特許請求の範囲】
【請求項１】
積み重ねて塀や壁その他の構造物を構築するためのブロックであって、中空な内部及び底を有し、かつ、上部及び前記底の下部を積み重ね面とし、それらの積み重ね面に凹状の嵌合部を有する外観及び内部ともに幅の狭い直方体形のブロック本体と、それらの嵌合部に嵌め合わされる平面視長方形状であって凸状部分を有する嵌合相手部を上下両面に有し、上記幅の狭い直方体形のブロック本体の長さの約１／２又は１／４の長さを有する結合部材とを具備し、既設のブロック本体の上部の積み重ね面に結合部材を嵌め合わせ、その結合部材の上に積み重ねるブロック本体の下部の積み重ね面を嵌め合わせて、上、下両ブロック本体を位置決め可能としたことを特徴とする構築用ブロック。
【請求項２】
ブロック本体と、その上下の積み重ね面に嵌め合わせた結合部材とをピン結合するための、ピンの差し込み孔をブロック本体の側面、及び結合部材の嵌合相手部に設けた請求項１記載の構築用ブロック。
【請求項３】
ブロック本体に、中空な内部に通じる穴をあけ、土壌を充填し、ブロック本体が植木鉢の機能を備えるようにした請求項１記載の構築用ブロック。
【発明の詳細な説明】
【０００１】
【発明の属する技術分野】
本発明は、積み重ねて塀や壁その他の構造物を構築するためのブロックに関するものである。
【０００２】
【従来の技術】
この種のブロックには軽量骨材を使用する所謂軽量コンクリートブロックや空洞ブロック、化粧ブロックなどがあり様々な用途に用いられている。しかし従来のブロックは積み重ねに熟練を必要とし、慣れない者が行った施工箇所は凹凸が目立ち、見るに耐えない外観となる。また従来のブロック工事ではブロック間に充填されるコンクリート目地も重要であり仕上がりを左右する。
【０００３】
他方、構築物について見ると、従来の軽量コンクリートブロックを用いて構築されたものは、ブロックの組み合わせ方が限られているためにどちらかといえば単調な外観のものとなる。また従来のブロックにはブロックとしての機能以外には何も求められておらず、例えば花壇を作ることはできるが、ブロックそのものが例えば植木鉢に利用できるということはない。
【０００４】
【発明が解決しようとする課題】
本発明は前記の点に着目してなされたものであって、その課題は、熟練した職人によらなくても見映えの良い結果を得ることができ、従来のブロックよりも多種、かつ多様な構造物を形成することができる構築用ブロックを提供する点にある。また本発明の他の課題は、ブロック表面に穴をあけて内部に土壌を充填し、ブロック自体に植栽用容器つまり植木鉢としての機能が備えられるようする点にある。
【０００５】
【課題を解決するための手段】
前記の課題を解決するため本発明は、積み重ねて塀や壁その他の構造物を構築するためのブロックであって、中空な内部及び底を有し、かつ、上部及び前記底の下部を積み重ね面とし、それらの積み重ね面に凹状の嵌合部を有する外観及び内部ともに幅の狭い直方体形のブロック本体と、それらの嵌合部に嵌め合わされる平面視長方形状であって凸状部分を有する嵌合相手部を上下両面に有し、上記幅の狭い直方体形のブロック本体の長さの約１／２又は１／４の長さを有する結合部材とを具備し、既設のブロック本体の上部の積み重ね面に結合部材を嵌め合わせ、その結合部材の上に積み重ねるブロック本体の下部の積み重ね面を嵌め合わせて、上、下両ブロック本体を位置決め可能としたものである。
【０００６】
【発明の実施の形態】
本発明は、積み重ねて塀や壁その他各種の構造物を構築するためのブロックである。本発明の構築用ブロックは、例えばコンクリートモルタルを型成形装置を用いて加圧脱水成形することにより製造されるような、材厚が薄く、軽量なものである方が良い。しかし本発明の構築用ブロックはこの材料や製造方法に限定されるものではなく、例えば加圧脱水を行わない在来のコンクリートモルタルの型成形方法によるものやプラスチック成形によって製造されるものなどを含む。
【０００７】
上記のようなブロック本体は、中空な内部を有するものとする。内部が中空であるが故に、ブロックを植栽用容器として利用することができ、かつまた壁厚の調整により軽量なブロックとなる。なお、上記の加圧脱水成形で製造した場合には、見かけ比重２．０とほぼ従来の軽量コンクリートブロックと同程度に軽量のブロックが得られる。
【０００８】
ブロック本体は、上下の積み重ね面に凹状の嵌合部がある。つまりこのブロック本体には上下があり、それは積み重ねる際に上になることが望ましい部分と下になることが望ましい部分とがある、ということである。その凹状の嵌合部は中空な内部に通じていても良く、中空な内部の一部であっても良い。上部の積み重ね面と、下部の積み重ね面とには、夫々凹状の嵌合部がある。
【０００９】
そして、嵌合部に嵌め合わされる凸状の嵌合相手部を有する結合部材が別に用意される。結合部材は、ブロック本体同士を結合する手段であり、結合部材なしに、ブロック本体が積み重ねられることはない。ブロック本体の嵌合部が凹状であるために、嵌合相手部は必然的に凸状となり、上下のブロック本体を結合するために、嵌合相手部は上位のブロック本体に向けられるもののみならず、下位のブロック本体に向けられるものとの２組が備わっている。
【００１０】
結合部材と同じようにブロック本体の上下の積み重ね面に嵌め合わされるが、上下連結機能を必要としない、例えば笠石に相当するものも、本来の結合部材同様嵌合相手部を有していて良い。また別の機能を有していて、ブロック本体の積み重ね面に嵌め合わせて取り付けられるものについても同様である。
【００１１】
このような構築用ブロックでは、既設のブロック本体の上部の積み重ね面に、結合部材の下側の嵌合相手部を嵌め合わせ、上に積み重ねるブロック本体の下部の積み重ね面と結合部材の上側の嵌合相手部を嵌め合わせる。そのようにして上下両ブロック本体が位置決めされるため、ブロック本体の位置は結合部材によって規定されることになり、ばらばらな向きになることが防止される。
【００１２】
ブロック本体と、その上下の積み重ね面に嵌め合わせた結合部材とをピン結合することができる。ピンの差し込み孔は、ブロック本体の側面、結合部材の嵌合相手部に設けることが望ましい。ピン結合により、上下両ブロック本体を位置決め通りに固定することが可能となる。各ブロック本体と結合部材とは、構造物の態様、高さ、形状等に応じた方法で組み積みされる。即ち、第１にはブロック本体を結合部材を用いて積み重ねるだけの方法、第２にはピン結合によりブロック本体、結合部材を一体化する方法、第３にはブロック本体、結合部材を接着する方法、第４には配筋とコンクリートモルタルによって永久的に固定する方法などが行われる。
【００１３】
ブロック本体は中空な内部を有するので、型成形時にその内部に通じる穴をあけ、中空な内部に土壌を充填し、それによってブロック本体に植木鉢の機能を備えることができる。ブロック本体の中空内部は幾つかの部分に分かれていても良く、また単一の部分から成っていても良いが、植木鉢の機能を備えるために水抜き穴も形成される。
【００１４】
【実施例】
以下図面を参照して本発明をより詳細に説明する。図１は本発明に係る構築用ブロック１０を構成するブロック本体１１の上面、正面及び下面を示しており、ブロック本体１１は幅の狭い直方体形を有し、内部１２は中空に形成され、補強のためにその内面にリブ１３が多数上下方向に形成されており、さらに中央には中空内部１２を左右に２分する中央壁１４が形成されている。
【００１５】
中空な内部１２の下部には底１５が形成されており、底１５等には水抜き、配筋通し兼用の透孔１６が形成されている。ブロック本体１１の上部開口内面は凹状の嵌合部１７となっている。この嵌合部１７は中空な内部１２を構成しているテーパ状内壁面とそこに形成されているリブ１３とから成り、テーパ状内壁面とリブ１３の頂部１８はブロック本体上面から下がっており、後に説明する結合部材２０の受け止め部となる。ブロック本体下面の底１５より下の部分も凹状の嵌合部１９となっており、その嵌合部１９には壁面に定間隔で突起２１を４個１組とする嵌合構造が設けられている。この突起２１のテーパ状壁面と頂部２２も、リブ１３の頂部１８と同様にブロック本体下面から上に離れており、テーパ状壁面とともに結合部材２０の受け止め部となる。
【００１６】
結合部材２０は図２に例示されており、凸状の嵌合相手部２３、２４を上下に有している。嵌合相手部２３、２４は凹状の嵌合部１７、１９を構成している壁面に接触可能な４個１組の凸状部分を有し、その間は隙き間２５、２６となり、隙き間２５、２６にはブロック本体１１のリブ１３及び突起２１が嵌まり込み、嵌合相手部２３、２４は嵌合部１７、１９に嵌まり込む。例示した結合部材２０は、２個で１個のブロック本体１１の上部開口又は下部開口を閉塞する状態となるように、ブロック本体１１の長さの約１／２（１／４又はそれ以外でも良い。）の長さを有することができる。
【００１７】
結合部材２０はこのように、上、下の嵌合相手部２３、２４を有しており、これらによって上下または左右に連結するブロック本体１１…を相互の位置を規定しながら結合するものであり、上下の嵌合相手部２３、２４は中間の基板２７に設けられている。基板２７の長さ、従って嵌合相手部２３、２４の個数は任意であり、例示のブロック本体１１と同じ長さを有していても良い。しかし、上下のブロック本体１１を結合した状態では夫々の嵌合部１９、１７に嵌まり込んで両ブロック間に略収まるようになっている。
【００１８】
また、結合部材２０から上部の嵌合相手部２３を除去し、平面又は任意の形状を与えた笠石状のものは蓋体２８を構成する。蓋体２８にはフェンスのような付加体２９を付け加えることができる。蓋体２８及びそれに付加体２９を付け加えたもの２８′は図３、図４に例示したとおりである。これらの部材２８、２８′の他の構成は、図２に示した結合部材２０のそれと全く同じであるから符号を援用し、詳細な説明は省略する。
【００１９】
ブロック本体１１は単に積み重ねるだけでなく、第３の部材３０を取り付ける基礎部分を提供する。３１はそのための上下方向の溝部であり、バネル状の部材端部を差し込むために設けられている。また結合部材２０が両ブロック間１１、１１に収まるようになっていることは既に説明したが、目地に相当する隙き間を塞ぐためにパッキング３２を取り付けることができる。そのために例示のものはブロック本体１１の端面正面側の上下左右を１周するようにパッキング取り付け用の細溝３３を設けている（図１、図５参照）。
【００２０】
このような構成を有する本発明の構築用ブロックは、何種かのサイズの異なるものから成る。図６は基本モジュールＡを有するその例示である。図６（ａ）のものは木口の寸法Ａ×Ａと２Ａの長さを有するものと、半分の長さＡのもの及び倍寸の長さ４Ａのものを含む。図６（ｂ）のものは木口の幅を図６（ａ）の半分の寸法１／２Ａ×Ａとし、長さＡ、２Ａ、４Ａの３種を含み、図６（ｃ）のものは木口の寸法を１／２Ａ×１／２Ａとし、長さＡ、２Ａ、４Ａの３種を含み、図６（ｄ）のものは木口の寸法をＡ×１／２Ａとし、長さＡ、２Ａ、４Ａの３種を含むものである。実施例のブロック本体１１は図６（ｂ）のものに該当する。
【００２１】
ブロック本体１１と結合部材２０等との組み合わせは図７以下のように行なわれる。図７はブロック本体１１を長さの１／２だけずらして上下に配置した状態を示しており、結合部材２０の嵌合相手部２３、２４と嵌合部１７、１９との嵌め合いによって、上下に配置されたブロック本体１１、１１の関係が一義的に規定されることが分かる。最上位のブロック本体１１の上面を蓋体２８によって閉塞する状態は図８に示されており、またフェンスを付加体２９として有する蓋体２８′は図９に示されているとおりである。
【００２２】
様々なサイズのブロック本体１１と結合部材２０及び蓋その他の付属物を使用して構築可能な構造物の例を図１０に示す。例示の塀３４は、図６（ａ）に示されたブロックを用いて構築されており、塀３４に設けられた凹処３５には、第３の部材３０である格子パネルがブロック本体側端の溝部３１に嵌め込まれることによって取り付けられている。塀際には、例えばダストボックス３６や、犬小屋３７を設けることができるが、この場合にそれらを構成するブロック本体１１の一部分３８を、塀３４に開けた開口部分３８に嵌め込むことによって一体化することができる。図１０中の分解図参照。
【００２３】
図１０において、４０は花壇、４１は門柱、４２は木製デッキの基礎であり、いずれも本発明に係る構築用ブロックのブロック本体１１と結合部材２０を中心とする構成部材を用いて構築されたものである。ブロック本体１１それ自体が植木鉢の機能を発揮し得ることも既に説明したが、その場合には中空な内部１２に通じる穴４３を開けたブロック本体１１′を使用するとともに、予め土壌を充填し、植物４４の成育可能な環境を整えておく。
【００２４】
また本発明の構築用ブロックは、側溝４５のような構造体の構築にも適している。図１１はその例示であり、溝型基盤４６の左右両側に結合部材２０を用いて並設したブロック本体１１、１１と、その上方開口を塞ぐ溝蓋４７から成るものである。
【００２５】
ブロック本体１１と結合部材２０などの組み積みに、単なる積み重ねのほか、ピン結合、接着、配筋とコンクリートモルタルによる方法を取り得ることは既に述べたとおりである。ピン結合のためのピンの差し込み孔４８、４９は、ブロック本体１１の側面及び結合部材２０の嵌合相手部２４に形成される。
【００２６】
【発明の効果】
本発明は以上の如く構成され、かつ作用するものであるから、個々のブロック本体が結合部材との嵌め合いによって一定の位置関係に配列されることになり、熟練した職人によらなくても見映えの良い施工結果を得ることができ、多種かつ多様な構造物を容易に形成することが可能となり、またブロック本体に内部に通じる穴を開けて土壌を充填することによってブロック自体が植栽用容器となるなど顕著な効果が期待される。
【図面の簡単な説明】
【図１】（ａ）本発明に係る構築用ブロックを構成するブロック本体の実施例を示す上面図。
（ｂ）同じく正面図。
（ｃ）同じく下面図。
【図２】（ａ）同様に構築用ブロックの一部である結合部材の実施例を示す上面図。
（ｂ）同じく正面図。
（ｃ）同じく下面図。
（ｄ）同じく側面図。
【図３】（ａ）同様に本発明の構築用ブロックに含まれる蓋体の実施例を示す上面図。
（ｂ）同じく正面図。
（ｃ）同じく側面図。
【図４】（ａ）蓋体の変化例を示す上面図。
（ｂ）同じく正面図。
（ｃ）同じく側面図。
【図５】（ａ）図１のブロック本体の側面図。
（ｂ）図１のブロック本体の要部拡大図。
【図６】（ａ）本発明に係る構築用ブロックのサイズを示す説明図。
（ｂ）本発明に係る構築用ブロックのサイズを示す説明図。
（ｃ）本発明に係る構築用ブロックのサイズを示す説明図。
（ｄ）本発明に係る構築用ブロックのサイズを示す説明図。
【図７】本発明のブロック本体と結合部材との関係を示す正面図と側面図。
【図８】蓋体の使用状況を示す正面図。
【図９】蓋体の変化例の使用状況を示す正面図。
【図１０】本発明によって構築可能な構造物の１の例示のための斜視図。
【図１１】本発明によって構築可能な構造物の２の例示のための端面図。
【図１】
0004789313.tif 000002
【図２】
0004789313.tif 000003
【図３】
0004789313.tif 000004
【図４】
0004789313.tif 000005
【図５】
0004789313.tif 000006
【図６】
0004789313.tif 000007
【図７】
0004789313.tif 000008
【図８】
0004789313.tif 000009
【図９】
0004789313.tif 000010
【図１０】
0004789313.tif 000011
【図１１】
0004789313.tif 000012